(57)【要約】【課題】生ゴミを廃棄する際や、野菜等の水に濡れた物を収容して運ぶ際に、手を汚したり、濡らすことを極力防止できる自立性水切り袋を提供すること。【解決手段】両側面１１，１１および半折底面１２を有し、少なくともその両側面１１，１１には複数の水切り孔１１ａを設けた自立性水切り袋１であって、開口している各側面１１，１１の上部をそれぞれ上端部から所定長だけ離れた折返しライン１１ｂ，１１ｂで下方へ折り返すことによりそれぞれ所定長の折返し側面１３，１３を設け、その各折返しライン近傍１１ｂ，１１ｂの各側面１１，１１と各折返し側面１３，１３の一部を切欠することによりユーザが掴むための把持部１４，１４を両側に設けた。【選択図】図１
2016117542.tif 000002
【特許請求の範囲】
【請求項１】
両側面および底面を有し、少なくともその両側面には複数の水切り孔を設けた自立性水切り袋であって、
開口している各側面の上部をそれぞれ上端部から所定長だけ離れた折返しラインで下方へ折り返すことによりそれぞれ所定長の折返し側面を設け、その各折返しライン近傍の側面と折返し側面の一部を切欠することにより把持部を設けたことを特徴とする自立性水切り袋。
【請求項２】
請求項１記載の自立性水切り袋は、前記底面は前記各側面の下部をそれぞれ所定長だけ上方へ折り返すことにより設けた半折底面であり、
その半折底面を広げた際に、当該自立性水切り袋の底面がほぼ正方形になるように前記各側面と前記半折底面を重ねた状態では、前記各側面および前記半折底面の幅に対し前記半折底面の半折時の高さをほぼ４対１にしたことを特徴とする自立性水切り袋。
【請求項３】
請求項１または請求項２に記載の自立性水切り袋において、
前記折返し側面は、開口している両側面上部の上部をそれぞれ内側に所定長だけ折り返して形成されていることを特徴とする自立性水切りゴミ袋。
【請求項４】
請求項３に記載の自立性水切り袋において、
前記各折返し側面と、前記各折返し側面とそれぞれ重なる各側面との間は、上方に向かうほど前記把持部に近付くように斜めにシールしたシール部により溶着し、
このシール部の横方向の長さを、前記半折底面の高さとほぼ同じ長さにしたことを特徴とする自立性水切りゴミ袋。
【請求項５】
請求項１〜請求項４のいずれか一の請求項に記載の自立性水切り袋において、
両側面に設ける複数の水切り孔は、前記折返し側面の下端部より底面側に設けたことを特徴とする自立性水切り袋。
【発明の詳細な説明】
【技術分野】
【０００１】
本発明は、台所のシンク内等に置いて生ゴミを収容して水切りを行ったり、洗った野菜等の水切りの為等に使用する自立性水切り袋に関する。
【背景技術】
【０００２】
シンクのコーナーに置いて生ゴミを入れるゴミ容器として、三角コーナーが知られている。この三角コーナーは、プラスチック製容器で、底面をメッシュ状に形成して生ゴミの収容と同時に水切りが行えるようにしたものである。
【０００３】
しかしながら、三角コーナーは、ゴミ収容時にメッシュの隙間から茶殻や野菜の切り屑等の細かいゴミが漏れ出で周囲が不潔になり易く、且つ、生ゴミの処理（廃棄）も面倒であることから、最近では、三角コーナー等のゴミ容器内に使い捨ての水切りゴミ袋を装着して使用したり、ゴミ容器を使用せずにシンクのコーナーに自立させておき、生ゴミが溜まったらそのまま廃棄するようにした自立性水切り袋が提案されている（例えば、特許文献１〜３参照。）。
【先行技術文献】
【特許文献】
【０００４】
【特許文献１】実用新案登録第３０９２１７５号公報
【特許文献２】実用新案登録第３０９３２８５号公報
【特許文献３】実開平６−３２４０３号公報
【発明の概要】
【発明が解決しようとする課題】
【０００５】
しかし、上述の特許文献１〜３の自立性水切り袋では、メッシュ状のゴミ容器は不要になるものの、生ゴミが溜まった後に自立性水切り袋ごと廃棄する場合に、掴むところが無く、手を濡らしたり、手を汚すおそれがあった。
【０００６】
また、このような自立性水切り袋は、水で洗った野菜等の水切りのために使用されることがあるが、水で洗った野菜等を収容して水を切った後にその自立性水切り袋ごと運ぶ場合、掴むところが無く、運び難いという問題も寄せられていた。
【０００７】
そこで、本発明はこのような問題点に着目してなされたもので、生ゴミを廃棄する際や、野菜等の水に濡れた物を収容して運ぶ際に、手を汚したり、濡らすことを極力防止できる自立性水切り袋を提供することを目的とする。
【課題を解決するための手段】
【０００８】
前記課題を解決するため、本発明の自立性水切り袋は、両側面および底面を有し、少なくともその両側面には複数の水切り孔を設けた自立性水切り袋であって、開口している各側面の上部をそれぞれ上端部から所定長だけ離れた折返しラインで下方へ折り返すことによりそれぞれ所定長の折返し側面を設け、その各折返しライン近傍の側面と折返し側面の一部を切欠することにより把持部を設けたことを特徴とする。
ここで、この自立性水切り袋は、前記底面は前記各側面の下部をそれぞれ所定長だけ上方へ折り返すことにより設けた半折底面であり、その半折底面を広げた際に、当該自立性水切り袋の底面がほぼ正方形になるように前記各側面と前記半折底面を重ねた状態では、前記各側面および前記半折底面の幅に対し前記半折底面の半折時の高さをほぼ４対１にすると良い。
また、前記折返し側面は、開口している両側面上部の上部をそれぞれ内側に所定長だけ折り返して形成されていると良い。
また、前記各折返し側面と、前記各折返し側面とそれぞれ重なる各側面との間は、上方に向かうほど前記把持部に近付くように斜めにシールしたシール部により溶着し、このシール部の横方向の長さを、前記半折底面の高さとほぼ同じ長さにするとさらに良い。
また、両側面に設ける複数の水切り孔は、前記折返し側面の下端部より底面側に設けるとさらに良い。
【発明の効果】
【０００９】
本発明の自立性水切り袋では、開口している各側面の上部をそれぞれ上端部から所定長だけ離れた折返しラインで下方へ折り返すことによりそれぞれ所定長の折返し側面を設け、その各折返しライン近傍の側面と折返し側面の一部を切欠することにより把持部を設けたため、生ゴミを廃棄する際や、野菜等の水に濡れた物を収容して運ぶ際に、ユーザは把持部を掴むことにより、手を汚したり、濡らすことを極力防止できる。
【図面の簡単な説明】
【００１０】
【図１】本発明に係る実施形態の上部を僅かに広げた状態の自立性水切り袋を示す正面図である。
【図２】図１におけるＡ−Ａ線断面図である。
【図３】本発明に係る実施形態の底部が正方形になるように拡げた状態の自立性水切り袋を示す斜視図である。
【図４】本発明に係る実施形態の底部が正方形になるように拡げた状態の自立性水切り袋を示す平面図である。
【図５】本発明に係る実施形態の底部が正方形になるように拡げた状態の自立性水切り袋を示す正面図である。
【図６】図５におけるＢ−Ｂ線断面図である。
【図７】本発明に係る実施形態の底部が正方形になるように拡げた状態の自立性水切り袋を示す側面図である。
【図８】図７におけるＣ−Ｃ線断面図である。
【図９】底部が正方形になるように拡げた状態の本発明に係る実施形態の自立性水切り袋において把持部を上方に上げた状態を示す斜視図である。
【図１０】底部が正方形になるように拡げた状態の本発明に係る実施形態の自立性水切り袋において把持部を上方に上げた状態を示す平面図である。
【図１１】底部が正方形になるように拡げた状態の本発明に係る実施形態の自立性水切り袋において把持部を上方に上げた状態を示す正面図である。
【図１２】図１１におけるＤ−Ｄ線断面図である。
【図１３】底部が正方形になるように拡げた状態の本発明に係る実施形態の自立性水切り袋において把持部を上方に上げた状態を示す側面図である。
【発明を実施するための形態】
【００１１】
以下、本発明に係る自立性水切り袋１の実施の形態を、添付図面を参照しながら詳細に説明する。なお、下記に説明する実施形態はその寸法等も含めあくまで本発明の一例であり、本発明は下記の実施形態に限定されるものではなく、本発明の技術思想の範囲内で適宜変更可能である。
【００１２】
図１〜図３に示すように、本発明に係る自立性水切り袋１は、両側面１１，１１および半折底面１２を有し、両側面１１，１１および半折底面１２には複数の水切り孔１１ａ，１２ａを設けている。ここで、半折底面１２は、ゴミ容器無しでも自立可能となるようにガゼット式で折りたたまれており、使用する場合には、後述するようにほぼ正方形に広がって一定の面積を有することになる。
【００１３】
両側面１１，１１は、開口している各側面１１，１１の上部をそれぞれ上端部から所定長（ここでは、例えば、約４．５ｃｍとするが、これはあくまで一例である。）だけ離れた折返しライン１１ｂ，１１ｂで下方へ折り返すことによりそれぞれ所定長の折返し側面１３，１３を設け、その各折返しライン１１ｂ，１１ｂ近傍の各側面１１，１１と各折返し側面１３の一部を切欠することによりユーザが掴むための把持部１４，１４を両側に設けている。
【００１４】
そのため、自立性水切り袋１の中に生ゴミや水に濡れた野菜等を収容した後、生ゴミを廃棄する際や、野菜等の水に濡れた物を収容して運ぶ際に、把持部１４，１４をユーザが掴んで自立性水切り袋１を持ち上げると、図９〜図１３に示すように、把持部１４，１４と共に折返し側面１３が上方に持ち上がるので、ユーザの手を汚したり、濡らすことを極力防止することができる。
【００１５】
ここで、各側面１１，１１の上部内側と折返し側面１３，１３との間には、図１等に示すように上方に向かうほど把持部１４，１４に近付くように斜めにシールしたシール部１１ｃ，１１ｃを設けて、各側面１１，１１の上部内側と折返し側面１３，１３とを溶着している。
【００１６】
同様に、各側面１１，１１の下部内側と半折底面１２の両側面との間も、図１等に示すように下方に向かうほど中心に近付くように斜めにシールしたシール部１１ｄ，１１ｄを設けて、各側面１１，１１の上部内側と半折底面１２の両側面とを溶着している。
【００１７】
また、この自立性水切り袋１において、半折底面１２は、各側面１１，１１の下部をそれぞれ所定長だけ上方へ折り返すことにより設けた半折状態の底面であり、図３〜図８に示すように、その半折底面１２を広げた際に、当該自立性水切り袋１の半折底面１２がほぼ正方形になるように構成している。
【００１８】
つまり、この自立性水切り袋１では、図１等に示すように、各側面１１，１１と半折底面１２を重ねた状態では、各側面１１，１１および半折底面１２の幅Ｗに対し半折底面１２の半折時の高さｈを約４対１にしている。
【００１９】
具体的には、この自立性水切り袋１の幅Ｗ、すなわち各側面１１，１１の幅Ｗが、例えば、約２４ｃｍの場合、半折底面１２の高さｈを約６ｃｍ程度としている。
【００２０】
そのため、半折底面１２を広げると、図４に示すように、当該自立性水切り袋１の半折底面１２がほぼ１２ｃｍ×１２ｃｍの正方形になり、この自立性水切り袋１がほぼ正方形に拡がった半折底面１２を底部とする立方体形状になる。
【００２１】
その結果、この自立性水切り袋１では、半折底面１２を広げた際には、当該自立性水切り袋１の半折底面１２がほぼ１２ｃｍ四方の正方形になるので、当該自立性水切り袋１がバランス良く、かつ、堅固な状態で自立して立つことができると共に、正方形の立方体形状という点から効率良く収容量を極力最大化することが可能となる。
【００２２】
また、図１に示すように、上部のシール部１１ｃ，１１ｃの横方向の長さｗ１を下部のシール部１１ｄ，１１ｄの横方向の長さｗ２よりも長くして、この自立性水切り袋１の幅Ｗが、例えば、約２４ｃｍの場合、上部のシール部１１ｃ，１１ｃの横方向の長さｗ１を約６ｃｍにしている。つまり、上部のシール部１１ｃ，１１ｃの横方向の長さｗ１を、半折底面１２の高さｈとほぼ同じ長さの約６ｃｍ程度としている。
【００２３】
これにより、この自立性水切り袋１の半折底面１２を広げ、ほぼ１２ｃｍ×１２ｃｍの正方形で１２ｃｍの幅（置行き）になった場合、この自立性水切り袋１の上方の開口側も約６ｃｍの長さｗ１のシール部１１ｃ，１１ｃによって１２ｃｍの幅（置行き）を確保することが可能となり、マチ（横側面）がほぼ長方形になる。
【００２４】
そのため、この自立性水切り袋１の中に生ゴミや野菜等の物を多数入れて、図３〜図８に示すように、把持部１４，１４を掴んで持ち上げた場合、マチ（横側面）がほぼ長方形になるので、自立した際のバランスが良く、収納効率も高く、かつ、強度も高い自立性水切り袋を提供することができる。
【００２５】
また、図１〜図８等に示すように、両側面１１，１１に設けた複数の水切り孔１１ａは、折返し側面１３，１３の下端部１３ａ，１３よりも半折底面１２側に設けている。
【００２６】
つまり、自立性水切り袋１では、折返し側面１３，１３と、その折返し側面１３に重なる各側面１１，１１の上部には、水切り孔１１ａを設けていない。
【００２７】
そのため、この自立性水切り袋１では、野菜や生ゴミ等を収容して持ち上げる際、再度、上部へ折り返される把持部１４，１４を含めた折返し側面１３自体の強度を複数の水切り孔１１ａによって低下することを防止できると共に、折返し側面１３，１３と各側面１１，１１とのシール部１１ｃ，１１ｃに水切り孔１１ａが設けられることもなくなるので、その点でも持部１４，１４を含めた折返し側面１３全体の強度を確保することができる。
【００２８】
また、両側面１１，１１の切り孔１１ａを折返し側面１３，１３の下端部１３ａ，１３よりも半折底面１２側に設けた点から、この自立性水切り袋１では、両側面１１，１１における折返し側面１３の下端部１３ａ、１３ａより上方では内側から外側へ水が排出することがなくなるので、生ゴミで手を汚したり、濡らすことも極力防止することができる。
【００２９】
また、本実施形態の自立性水切り袋１では、折返し側面１３は、開口している両側面１１，１１上部の上部をそれぞれ内側に所定長だけ折り返して形成したため、この自立性水切り袋１の中に収容した生ゴミ等が溢れ出すことを防止できる。
【００３０】
また、この自立性水切り袋１では、折返し側面１３，１３の下端部１３ａ，１３よりも半折底面１２側の両側面１１，１１に複数の水切り孔１１ａを設ける際、図１や図２に示すように両側面１１，１１を重ねた状態で折返し側面１３，１３の下端部１３ａ，１３よりも半折底面１２側に上方から下方またはその逆に複数の針等を挿入することにより複数の孔を空けて複数の水切り孔１１ａとしている。
【００３１】
そのため、半折底面１２にも複数の水切り孔１２ａが形成され、両側面１１，１１および半折底面１２に簡単に水切り孔１２ａを設けることが可能となる。
【００３２】
また、図１等に示すように、本実施形態の自立性水切り袋１では、両側面１１，１１上部の上部をそれぞれ内側に折返すことによりそれぞれ重なる各側面１１，１１に上方に向かうほど把持部１４，１４に近付くように斜めにシールしたシール部１１ｃ、１１ｃを設けため、把持部１４，１４を持った際に、形良く把持部１４，１４が形成されると共に、把持部１４，１４の強度を向上させることができる。
【００３３】
以上説明したように、本実施形態の自立性水切り袋１では、開口している各側面１１，１１の上部をそれぞれ上端部から所定長だけ離れた折返しライン１１ｂ，１１ｂで下方へ折り返すことによりそれぞれ所定長の折返し側面１３，１３を設け、その各折返しライン１１ｂ，１１ｂ近傍の各側面１１，１１と各折返し側面１３の一部を切欠することによりユーザが掴むための把持部１４，１４を設けたため、生ゴミを廃棄する際や、野菜等の水に濡れた物を収容して運ぶ際に、手を汚したり、濡らすことを極力防止できる。
【００３４】
特に、本実施形態の自立性水切り袋１では、半折底面１２は各側面１１，１１の下部をそれぞれ所定長だけ上方へ折り返すことにより設けた半折底面１２であり、各側面１１，１１と半折底面１２を重ねた状態では、各側面１１，１１および半折底面１２の幅Ｗに対し半折底面１２の半折時の高さｈをほぼ４対１にしたため、その半折底面１２を広げた際には、当該自立性水切り袋１の底部がほぼ正方形になるので、当該自立性水切り袋１が自立して立ち易くなると共に、効率良く収容量を最大化することが可能となる。
【００３５】
また、本実施形態の自立性水切り袋１では、折返し側面１３は、開口している両側面１１，１１上部の上部をそれぞれ内側に所定長だけ折り返して形成したため、この自立性水切り袋１の中に収容した生ゴミ等が溢れ出すことを防止できる。
【００３６】
また、本実施形態の自立性水切り袋１では、折返し側面１３，１３と各側面１１，１１との間は、上方に向かうほど把持部１４，１４に近付くように斜めにシールしたシール部に１１ｃ，１１ｃより溶着し、このシール部１１ｃ，１１ｃの横方向の長さｗ１を、半折底面１２の高さｈとほぼ同じ長さにしたため、把持部１４，１４を持った際に、形の良い把持部１４，１４を形成できると共に、把持部１４，１４の強度を向上させることができる。
【００３７】
また、半折底面１２を広げた際、この自立性水切り袋１のマチ（横側面）がほぼ長方形になるので、自立した際のバランスが良く、生ゴミや野菜等の物を多数入れても収納効率も高くなり、かつ、強度も高い自立性水切り袋を提供することができる。
【００３８】
また、本実施形態の自立性水切り袋１では、両側面１１，１１に設けた複数の水切り孔１１ａは、折返し側面１３の下端部より半折底面１２側に設けたため、野菜や生ゴミ等を収容して持ち上げる際、折返し側面１３，１３と各側面１１，１１とのシール部１１ｃの強度を確保できると共に、両側面１１，１１における折返し側面１３の下端部より上方では内側から外側へ水が排出することがなくなるため、手を汚したり、濡らすことを極力防止することができる。
【符号の説明】
【００３９】
１  自立性水切り袋
１１，１１  側面
１１ａ  水切り孔
１１ｂ  折返しライン
１１ｃ，１１ｄ  シール部
１２  半折底面
１２ａ  水切り孔
１３  折返し側面
１４  把持部
【図１】
2016117542.tif 000003
【図２】
2016117542.tif 000004
【図３】
2016117542.tif 000005
【図４】
2016117542.tif 000006
【図５】
2016117542.tif 000007
【図６】
2016117542.tif 000008
【図７】
2016117542.tif 000009
【図８】
2016117542.tif 000010
【図９】
2016117542.tif 000011
【図１０】
2016117542.tif 000012
【図１１】
2016117542.tif 000013
【図１２】
2016117542.tif 000014
【図１３】
2016117542.tif 000015